(57)【特許請求の範囲】
【請求項１】
棒状雄端子（１４）が筒軸方向に内装される雄コネクタ用筒状絶縁樹脂ハウジング（１１）と、棒状雌端子（２４）が筒軸方向に内装され前記雄コネクタ用筒状絶縁樹脂ハウジング（１１）と同一形状物の雌コネクタ用筒状絶縁樹脂ハウジング（２１）と、その両筒状絶縁樹脂ハウジング（１１、２１）にその筒軸方向に嵌入される筒状絶縁樹脂中子（３０）とから成り、
前記両筒状絶縁樹脂ハウジング（１１、２１）は、前記筒状絶縁樹脂中子（３０）が嵌入する穴部（１２、２２）の中心軸上に前記各端子（１４、２４）が位置し、前記筒状絶縁樹脂中子（３０）の外面は、筒軸方向の中央線で対称形状に形成され、その中央線の両側部が前記両筒状絶縁樹脂ハウジング（１１、２１）の穴部（１２、２２）にそれぞれぴったり嵌入し、かつ中心軸上に前記雄端子（１４）又は雌端子（２４）の嵌入孔（３２）が形成されており、
雌コネクタ用筒状絶縁樹脂ハウジング（２１）に棒状雌端子（２４）を内装して雌コネクタ（２０）とし、雄コネクタ用筒状絶縁樹脂ハウジング（１１）に棒状雄端子（１４）を内装するとともに筒状絶縁樹脂中子（３０）を嵌入して雄コネクタ（１０）とし、その両コネクタ（１０、２０）を、両端子（１４、２４）及び中子（３０）を介して嵌合した太陽光発電装置における電力接続用コネクタ接続構造。
【発明の詳細な説明】
【０００１】
【発明の属する技術分野】
この発明は、太陽光発電装置における発電器（太陽電池）から各機器に電力を供給する径路に介設されるコネクタ及びその接続構造に関するものである。
【０００２】
【従来の技術】
コネクタは、雄型と雌型を嵌合させて両者の接触子を接触させて、電力等を接続するものであり、太陽光発電装置における電力接続用コネクタは、特開平９−１４８００４号公報、実用新案登録第３０６５５８２号公報等に示されるように、一般に、棒状雄端子と棒状雌端子をそれぞれ円筒状絶縁樹脂ハウジングの軸心上に内装し、その雄ハウジングを雌ハウジングに水密に嵌め込んで、雄端子を雌端子に嵌入して電気的に接続する構成である。
【０００３】
【発明が解決しようとする課題】
そのコネクタの雄ハウジングと雌ハウジングはそれぞれ形状が異なるため、それぞれ別の金型を製作して樹脂成形している。
【０００４】
しかしながら、今日の低価格傾向の下、コネクタも例外ではなく、そのさらなるコストダウンが望まれる。
【０００５】
この発明は、さらなるコストダウンを図ることを課題とする。
【０００６】
【課題を達成するための手段】
上記課題を達成するために、この発明は、雄雌ハウジングを共通化し、雄型又は雌型コネクタの一方は前記ハウジングとそのハウジングに嵌入される端子で構成し、他方は、前記ハウジングとそのハウジングに嵌入される中子とさらにその中子及びハウジングに嵌入される端子とで構成することとしたのである。
【０００７】
このようにすれば、雄雌ハウジングの一方の金型が不要になるため、その分、製作コストの低減を図ることができる。
【０００８】
【発明の実施の形態】
この発明の実施形態としては、棒状雄端子又は棒状雌端子が筒軸方向に内装される筒状絶縁樹脂ハウジングと、その筒状絶縁樹脂ハウジングにその筒軸方向に嵌入される筒状絶縁樹脂中子とから成り、前記筒状絶縁樹脂ハウジングは、前記筒状絶縁樹脂中子が嵌入する穴部の中心軸上に前記各端子が位置するようになっており、前記筒状絶縁樹脂中子の外面は、筒軸方向の中央線で対称形状に形成され、その中央線から一側部が前記筒状絶縁樹脂ハウジングの穴部にぴったり嵌入し、かつ中心軸上に前記雄端子又は雌端子の嵌入孔が形成されている構成を採用し得る。
【０００９】
この構成のコネクタにおいては、上記筒状絶縁樹脂ハウジングを二つ用意し、その一方に棒状雌端子又は雄端子を内装して一方のコネクタとし、他方に棒状雄端子又は雌端子を内装するとともに筒状絶縁樹脂中子を嵌入して他方のコネクタとし、その両コネクタを、両端子及び中子を介し嵌合して接続する。
【００１０】
【実施例】
一実施例を図１乃至図３に示し、この実施例は、雄雌コネクタ１０、２０のハウジング１１、２１に同一形状物を使用し、そのハウジング１１、２１はシリコンゴム等の熱可塑性エラストマーによって成形する。雄ハウジング１１には、さらに筒状の中子３０が嵌入される。その中子３０は、ザイロン（商品名）、ナイロンなどのハウジング１１、２１より硬質の樹脂により成形する。また、中子３０の外面は、筒軸方向の中央線（図３（ｂ）の符号Ｏ参照）で対称形状に形成され、その両側外周面には波形の凹凸３１が形成され、中央に端子１４、２４の嵌入孔３２が形成されている。
【００１１】
ハウジング１１、２１には、中子３０の半分が嵌入する穴部１２、２２が形成されて、その内面に中子３０の凹凸３１が嵌合する波形の凹凸１３、２３が形成されている。この凹凸３１、１３、２３の嵌合により、ハウジング１１、２１と中子３０が水密に嵌合し、中子３０は、その上記中央線の両側部が両ハウジング１１、２１の穴部１２、２２にそれぞれぴったり嵌入する。
【００１２】
雄コネクタ１０は、ハウジング１１と図４（ｃ）に示す雄端子１４及び中子３０とから成り、電源コードＰを圧着接続した雄端子１４をハウジング１１に嵌入し、中子３０を穴部１２にはめ込むことにより構成する。雄端子１４と電源コードＰは、ハウジング１１の成形時にインサートして内装することもできる。
【００１３】
雌コネクタ２０は、ハウジング２１と図４（ａ）、（ｂ）に示す雌端子２４及び接触スリーブ２５とから成り、雌端子２４に接触スリーブ２５を嵌入するとともに電源コードＰを圧接接続してハウジング２１に嵌入することにより構成する。雌端子２４等は、ハウジング２１の成形時にインサートして内装することもできる。雌端子２４の先端部には絶縁体から成るキャップ（プロテクト）２６を嵌着する。
【００１４】
上記実施例は、１極の場合であったが、２極以上の多極の場合でも、この発明は採用でき、例えば、図５乃至図８に示すように、３極の場合（＋極、一極、アース極）には、ハウジング１１、２１、中子３０を断面三角形状とし、適宜に空洞４０を形成したものとする。また、図９に示すように、中子３０を有するコネクタを雌側とすることができ、 この場合でも接続態様は同じとなる。
【００１５】
【発明の効果】
この発明は、以上のようにして雄ハウジングと雌ハウジングを同一形態とし得るようにしたので、その成形金型が一つで済み、このため、コネクタの製造コストの低減を図ることができる。
【図面の簡単な説明】
【図１】一実施例の雄雌コネクタの接続時を示し、（ａ）は断面図、（ｂ）は正面図
【図２】同接続前を示し、（ａ）は断面図、（ｂ）は正面図
【図３】（ａ）は同実施例のハウジングの断面図、（ｂ）は中子の正面図
【図４】同実施例の端子類を示し、（ａ）は雌端子、（ｂ）は接触スリーブ、（ｃ）は雄端子
【図５】他の実施例の雄雌コネクタの接続時を示し、（ａ）は断面図、（ｂ）は正面図
【図６】同接続前を示し、（ａ）は断面図、（ｂ）は正面図
【図７】同実施例のハウジングを示し、（ａ）は切断平面図、（ｂ）は切断正面図、（ｃ）は左側面図、（ｄ）は正面図、（ｅ）は右側面図
【図８】同実施例の中子を示し、（ａ）は切断平面図、（ｂ）は平面図、（ｃ）は左側面図、（ｄ）は正面図、（ｅ）は切断正面図
【図９】他の実施例の断面図
【符号の説明】
１０  雄コネクタ
１１  雄コネクタハウジング
１２  雄コネクタハウジングの嵌入穴部
１３  雄ハウジングの凹凸
１４  雄端子
２０  雌コネクタ
２１  雌コネクタハウジング
２２  雌コネクタハウジングの嵌入穴部
２３  雌ハウジングの凹凸
２４  雌端子
２５  接触スリーブ
２６  キャップ
３０  中子
３１  凹凸
３２  嵌入孔
Ｐ  電源コード
【図１】
0004014413.tif 000002
【図２】
0004014413.tif 000003
【図３】
0004014413.tif 000004
【図４】
0004014413.tif 000005
【図５】
0004014413.tif 000006
【図６】
0004014413.tif 000007
【図７】
0004014413.tif 000008
【図８】
0004014413.tif 000009
【図９】
0004014413.tif 000010